(57)【特許請求の範囲】
【請求項１】
空気が通るダクト部材が接続される吸込口及び吹出口を有し、設置場所に固定される上部筐体と、
前記上部筐体に着脱可能に取り付けられる下部筐体と、
前記上部筐体または前記下部筐体に取り付けられる電気機器と接続される基板が収納され、前記下部筐体の下面に着脱可能に取り付けられて、前記下部筐体から着脱されると共に、前記下部筐体の前記上部筐体に対する着脱で、前記上部筐体から着脱される基板収納部とを備え、
前記上部筐体は、側面の一部に開口部が形成されると共に、前記下部筐体は、前記上部筐体の前記開口部に嵌る形状を有した側板を有し、前記下部筐体の前記側板は、前記上部筐体に対する位置決め部材を備えた
ことを特徴とする送風装置。
【請求項２】
前記下部筐体は、前記上部筐体に取り付けられたときに接触する底板の縁部及び前記側板の縁部にシール部材を備えた
ことを特徴とする請求項１記載の送風装置。
【発明の詳細な説明】
【技術分野】
【０００１】
本発明は、室内への空気の給気または室内の空気の排気を行う送風装置に関する。
【背景技術】
【０００２】
従来、外気を室内に給気して換気を行う換気装置、または、室内の空気を屋外に排気して換気を行う換気装置として、給排気口を接続するダクトの間に設置されて送風を行う送風装置が提案されている（例えば、特許文献１参照）。
【０００３】
このような送風装置は、ファンモータに駆動される送風ファンと、送風ファンが取り付けられる筐体と、ダクトが接続されるダクトジョイント等を備え、建物の天井裏に設置される。
【０００４】
【特許文献１】特開２００７−０３２４３４号公報
【発明の開示】
【発明が解決しようとする課題】
【０００５】
しかし、ダクトの途中に接続される送風装置は、建物の天井裏に設置されるので、従来の送風装置では点検作業が困難で、メンテナンスが必要とされる送風ファン等の電気機器を制御する基板の交換等が容易に行なえないという問題があった。
【０００６】
本発明は、このような課題を解決するためになされたもので、点検作業が容易に行なえる送風装置を提供することを目的とする。
【課題を解決するための手段】
【０００７】
上述した課題を解決するため、本発明の送風装置は、空気が通るダクト部材が接続される吸込口及び吹出口を有し、設置場所に固定される上部筐体と、上部筐体に着脱可能に取り付けられる下部筐体と、上部筐体または下部筐体に取り付けられる電気機器と接続される基板が収納され、下部筐体の下面に着脱可能に取り付けられて、下部筐体から着脱されると共に、下部筐体の上部筐体に対する着脱で、上部筐体から着脱される基板収納部とを備え、上部筐体は、側面の一部に開口部が形成されると共に、下部筐体は、上部筐体の開口部に嵌る形状を有した側板を有し、下部筐体の側板は、上部筐体に対する位置決め部材を備えたことを特徴とする。
【０００８】
本発明の送風装置では、下部筐体の着脱によって、基板が収納された基板収納部が下部筐体と共に上部筐体から取り外され、送風装置の設置場所と異なる作業の容易な場所で、基板の保守点検が行える。
【０００９】
一方、上部筐体は、設置場所に固定されており、下部筐体の着脱作業時に、ダクト部材の取り外しは不要で、作業性を向上させている。
【発明の効果】
【００１０】
本発明の送風装置によれば、設置場所に固定される上部筐体から、基板を容易に着脱できるので、メンテナンスが必要となる部品の保守点検の作業性を向上させることができる。
【発明を実施するための最良の形態】
【００１１】
以下、図面を参照して本発明の送風装置の実施の形態について説明する。
【００１２】
＜本実施の形態の送風装置の構成例＞
図１，図２及び図３は、本実施の形態の送風装置の一例を示す構成図で、図１（ａ），図２（ａ）は、本実施の形態の送風装置１Ａの使用時の状態を示す外観斜視図、図１（ｂ），図２（ｂ）及び図３は、送風装置１Ａの点検時の状態を示す分解斜視図である。ここで、図１は、送風装置１Ａを一方の側から見た斜視図、図２は、送風装置１Ａを他方の側から見た斜視図である。
【００１３】
本実施の形態の送風装置１Ａは、室内の空気を吸い込んで屋外に排気するか、または、屋外の空気を吸い込んで室内に給気する送風ファン部２を備え、機械換気によって住宅等の換気を行う中間ダクトファン等と称される換気装置である。
【００１４】
送風装置１Ａは、吸込口の一例である吸込口ダクトジョイント１０及び吹出口の一例である吹出口ダクトジョイント１１が取り付けられた上部筐体３と、上部筐体３に着脱可能に取り付けられる下部筐体４を備え、下部筐体４を上部筐体３から取り外すことで、送風ファン部２等の点検が行われる。
【００１５】
また、下部筐体４に取り付けられる基板ボックス５を備え、基板ボックス５を下部筐体４から取り外すことで、基板ボックス５に収納された基板５０の点検が行われる。
【００１６】
送風ファン部２は電気機器の一例で、ファンケース２０と、図示しないファンモータ及びファンモータに回転駆動されるファン等を備え、上部筐体３にネジ止め等により固定されている。
【００１７】
上部筐体３は、吸込口ダクトジョイント１０が取り付けられる第１の側板３０と、吹出口ダクトジョイント１１が取り付けられる第２の側板３１と、一対の第３の側板３２，３３と、天板３４を備える。
【００１８】
一方の第３の側板３２は、下辺が開口した開口部３２ａを有すると共に、他方の第３の側板３３は、下辺が開口した開口部３３ａを有し、第３の側板３２と側板３３で対向した側面が構成される。これにより、上部筐体３は、底面及び側面の一部が開口した直方体形状または立方体形状に構成される。
【００１９】
また、上部筐体３は、開口した底面に底板取付ネジ穴３５を備え、底面の開口に取り付けられた下部筐体４が、ネジ止めによって上部筐体３に固定される。
【００２０】
下部筐体４は、基板ボックス５が取り付けられた底板４０と、一対の第４の側板４１を備える。底板４０は、上部筐体３の開口した底面を塞ぐ形状を有し、第４の側板４１は、上部筐体３の第３の側板３２，３３の開口部３２ａ，３３ａを塞ぐ形状を有する。
【００２１】
また、下部筐体４は、底板４０に底板取付ネジ４２を備える。底板取付ネジ４２は締結部材の一例で、下部筐体４が上部筐体３に取り付けられると、底板取付ネジ４２が底板取付ネジ穴３５に位置が合わせられ、底板取付ネジ４２が底板取付ネジ穴３５に締結されることで、下部筐体４がネジ止めによって上部筐体３に固定される。
【００２２】
更に、下部筐体４は、第４の側板４１に位置決め部材４３を備え、下部筐体４が上部筐体３に取り付けられると、下部筐体４の第４の側板４１と上部筐体３の第３の側板３２，３３の位置ずれが防止される。
【００２３】
なお、下部筐体４は、上部筐体３に取り付けられたときに接触する底板４０の縁部及び第４の側板４１の縁部にシール部材４４が備えられ、下部筐体４が上部筐体３に取り付けられて底板取付ネジ４２で固定されると、接合部分の気密性がシール部材４４によって保たれるようになっている。
【００２４】
送風装置１Ａは、上部筐体３に取り付け金具３６を備え、例えば吊り下げる形態で設置される。これにより、送風装置１Ａは、上部筐体３を建物側に固定した状態で、下部筐体４の取り外しが可能である。
【００２５】
基板ボックス５は基板収納部の一例で、送風ファン部２の図示しないファンモータ等を駆動する回路が形成された基板５０が取り付けられる基板取付板部５１と、基板５０を覆う基板カバー部５２を備える。
【００２６】
基板ボックス５は、下部筐体４の底板４０に形成されたネジ穴４５にスペーサ５３を介して締結される基板取付ネジ５４により、基板取付板部５１と基板カバー部５２が取り付けられ、基板取付ネジ５４を外すことで、図３に示すように、基板取付板部５１と基板カバー部５２が取り外されて、基板５０が露出される。
【００２７】
図４は、底板取付ネジの一例を示す構成図で、図４（ａ）は、底板取付ネジ及び底板の側断面図、図４（ｂ）は、底板取付ネジ及び底板の斜視図である。
【００２８】
底板取付ネジ４２は、下部筐体４の底板４０に形成された穴部４０ａに回転できるように挿入される。また、底板取付ネジ４２は、落下防止部材の一例である抜け止めリング４２ａが容易に外れないように嵌められている。抜け止めリング４２ａの外径は、穴部４０ａの直径より大きく、底板取付ネジ４２は、下部筐体４に対して回転可能でかつ抜き取りできない構成となっている。
【００２９】
これにより、底板取付ネジ４２は、下部筐体４に取り付けられた状態で、ドライバ等の締結工具で回すことができ、かつ、底板取付ネジ４２を緩めたときに、下部筐体４から外れて落下しない構成となっている。
【００３０】
図５は、位置決め部材の動作説明図である。位置決め部材４３は、上部筐体３の第３の側板３２，３３を挟む形状の凸部が、第４の側板４１の上辺側の両面に例えば一体に形成される。位置決め部材４３の先端部は、それぞれ外側に向けて折り曲げられた形状で、図５（ａ）に示すように、下部筐体４の上部筐体３に対する取り付け時にはガイドとしての機能を持つ。
【００３１】
そして、下部筐体４が上部筐体３に取り付けられると、図５（ｂ）に示すように、位置決め部材４３の間に上部筐体３の第３の側板３２，３３が入り込み、下部筐体４の第４の側板４１と上部筐体３の第３の側板３２，３３の位置ずれが防止される。
【００３２】
これにより、上部筐体３の第３の側板３２，３３と、下部筐体４の第４の側板４１の位置がずれて接合部分に隙間が生じ、気密性が保てない状態となることが防止される。
【００３３】
図６は、本実施の形態の送風装置の結露防止構造の一例を示す構成図である。送風装置１Ａは、上部筐体３及び下部筐体４の各面に断熱材６を備える。断熱材６は結露防止部材の一例で、上部筐体３の第１〜第３の側板３０〜３３と、天板３４のそれぞれに貼り付けられる。ここで、第３の側板３２，３３に貼り付けられる断熱材６は、図１（ｂ），図２（ｂ）に示す開口部３２ａ，３３ａの形状に合わせて切り欠かれている。また、断熱材６は、下部筐体４の底板４０と第４の側板４１のそれぞれに貼り付けられる。
【００３４】
これにより、送風装置１Ａは、吸込口ダクトジョイント１０と、吹出口ダクトジョイント１１と、基板ボックス５を除く全体が、断熱材６で覆われる。送風装置１Ａは、吸い込んだ空気と設置場所の空気の温度差から、筐体に結露が生じることがある。これに対して、上部筐体３と下部筐体４の外面を断熱材６で覆うことで、結露が防止される。
【００３５】
図７は、本実施の形態の送風装置の結露防止構造の一例を示す要部構成図である。送風装置１Ａでは、下部筐体４は上部筐体３に対して底部取付ネジ４２によって固定され、底部取付ネジ４２の締結作業のために、底部取付ネジ４２は、下部筐体４の底板４０に露出している必要がある。
【００３６】
一方、送風装置１Ａは、結露防止のために上部筐体３と下部筐体４が断熱材６で覆われており、底板４０にも断熱材６が貼り付けられる。ここで、底板取付ネジ４２の位置に合わせて断熱材６に開口部を設けて、底板取付ネジ４２を露出させると、締結作業が行えるようになるが、底板取付ネジ４２で結露が発生して、水が垂れることがある。
【００３７】
そこで、底板取付ネジ４２の位置に合わせて、四角形の一辺はつながるように断熱材６に切り込み部６１を形成して、開閉部６２を備える。開閉部６２を閉じると、図７（ａ）に示すように、底板取付ネジ４２が断熱材６で覆われて、底板取付ネジ４２での結露の発生が防止される。
【００３８】
また、開閉部６２を開くと、図７（ｂ）に示すように、底板取付ネジ４２が露出されて、締結作業が行える状態になる。ここで、開閉部６２は、断熱材６と一体であるので、紛失のおそれがない。また、断熱材６は折り曲げや復元が容易な材質であるので、開閉部６２を開いたときに締結作業の妨げになることはなく、かつ、締結作業後は、手で押さえる等により、容易に閉じることができる。これにより、簡単な構成で、結露による水滴の落下を防止することができる。
【００３９】
＜本実施の形態の送風装置の点検動作例＞
図８は、本実施の形態の送風装置の動作説明図で、次に、各図を参照して、本実施の形態の送風装置１Ａにおける点検動作について説明する。
【００４０】
送風装置１Ａは、図示しない建物の天井裏１００に設置される梁１０１に固定されたアンカーボルト１０２に取り付け金具３６が締結されて、上部筐体３が吊り下げられる形態で設置される。また、吸込口ダクトジョイント１０には、例えば室内から吸い込まれた空気が通るダクト部材であるダクト１０３が接続され、吹出口ダクトジョイント１１には、屋外へ排気される空気が通るダクト１０４が接続される。
【００４１】
更に、天井パネル１０５には、送風装置１Ａの設置位置に合わせて点検口１０６が開けられ、点検口１０６に開閉可能な点検パネル１０７が取り付けられて、点検パネル１０７を開けることで、送風装置１Ａの点検が可能となる。
【００４２】
すなわち、点検パネル１０７を開けると、送風装置１Ａの底面側が点検口１０６に露出する。そして、底板取付ネジ４２を緩めて、図１（ｂ），図２（ｂ）に示す底板取付ネジ穴３５から外すと、下部筐体４を上部筐体３から取り外すことが可能となり、図８に示すように、下部筐体４を点検口１０６を通して取り外すことができる。
【００４３】
ここで、ダクト１０３，１０４は、上部筐体３側に接続されており、下部筐体４の着脱でダクト１０３，１０４を取り外す必要はない。
【００４４】
送風装置１Ａは、上部筐体３から下部筐体４が取り外されると、点検口１０６に面した底面が開口すると共に、第３の側板３２，３３の開口部３２ａ，３３ａによって、両側面の下側が開口する。
【００４５】
これにより、上部筐体３の内部に取り付けられている送風ファン部２の点検が可能である。特に、上部筐体３の両側面の下側が開口しているので、上部筐体３の内部に手を入れて行う作業が安全かつ容易に行なえる。また、上部筐体３の奥側（天板側）までの目視が確実に行える。更に、送風ファン部２を上部筐体３から取り外す際に、ドライバ等の締結工具を上部筐体３の内部に容易に挿入することができ、作業性が向上する。
【００４６】
また、送風装置１Ａは、上部筐体３から下部筐体４が取り外されると、基板ボックス５も上部筐体３から取り外され、基板ボックス５を開けることで、基板５０の点検が可能である。
【００４７】
以上の例では、下部筐体４を上部筐体３から取り外して点検を行う動作例について説明したが、基板５０の点検は、下部筐体４を取り外すことなく行える。すなわち、基板ボックス５は、下部筐体４の下面に取り付けられているので、点検パネル１０７が開けられると、下部筐体４と共に基板ボックス５が露出する。
【００４８】
これにより、図３に示すように、基板取付ネジ５４を外すことで、基板取付板部５１と基板カバー部５２が取り外されて、下部ボックス４を上部筐体３から取り外すことなく、基板５０の着脱が可能となる。
【００４９】
＜本実施の形態の送風装置の変形例＞
上述した送風装置１Ａでは、直下に点検口１０６が設置される例で説明したが、建物の構造等の制約で、送風装置１Ａの直下に点検口１０６を設置できない場合がある。このような場合でも、上部筐体３から下部筐体４が取り外されると、上部筐体３の両側面の下側が開口することで、側方から上部筐体３の内部を目視して、点検が可能となる。
【００５０】
また、送風装置１Ａは、電気機器として送風ファン部２を備えた例で説明したが、室内に給気する給気用のファンと、室内の空気を排気する排気用のファンと、熱交換素子を備えて、外気と室内の空気との間で熱交換を行って給気する熱交換型換気装置でも良い。
【００５１】
また、電気機器はファン以外の他の電気部品でも良く、例えば、埃等を集める電気集塵器や、紫外線ランプ等を備えたチャンバーボックスでも良い。
【産業上の利用可能性】
【００５２】
本発明は、換気により空気が通るダクトの中間に設置して使用される機器に適用される。
【図面の簡単な説明】
【００５３】
【図１】本実施の形態の送風装置の一例を示す構成図である。
【図２】本実施の形態の送風装置の一例を示す構成図である。
【図３】本実施の形態の送風装置の一例を示す構成図である。
【図４】底板取付ネジの一例を示す構成図である。
【図５】位置決め部材の動作説明図である。
【図６】本実施の形態の送風装置の結露防止構造の一例を示す構成図である。
【図７】本実施の形態の送風装置の結露防止構造の一例を示す要部構成図である。
【図８】本実施の形態の送風装置の動作説明図である。
【符号の説明】
【００５４】
１Ａ・・・送風装置、１０・・・吸込口ダクトジョイント、１１・・・吹出口ダクトジョイント、２・・・送風ファン部、３・・・上部筐体、３２，３３・・・第３の側板、３２ａ，３３ａ・・・開口部、４・・・下部筐体、４０・・・底板、４１・・・第４の側板、４２・・・底板取付ネジ、４３・・・位置決め部材、５・・・基板ボックス、５０・・・基板
【図１】
0005040497.tif 000002
【図２】
0005040497.tif 000003
【図３】
0005040497.tif 000004
【図４】
0005040497.tif 000005
【図５】
0005040497.tif 000006
【図６】
0005040497.tif 000007
【図７】
0005040497.tif 000008
【図８】
0005040497.tif 000009